(57)【要約】      （修正有）【課題】使用寿命が長く、高輝度のカラフル入力装置を提供する。【解決手段】カラフル入力装置は、キーモジュール、回路板、弾性体及び導光板を包含し、該キーモジュールは複数の穿孔を具えた底板を具え、該底板上方にキートップとそれに連帯し上下移動する連動装置が設けられ、且つ該底板の上方の該回路板の下方に該底板の該穿孔にアラインする発光ダイオードが設けられ、各発光ダイオードの外部は導光カバーで被覆され、並びに該底板下方に該導光板が設置される。該発光ダイオードの光線が導光カバーに導光されて導光板に照射されて均一に伝導され、該導光板がさらに光線を各穿孔を通して上向きに各キートップへと照射し、該回路板及び各発光ダイオードが熱源より離れた底板上方に設置され、並びに該底板を利用して放熱する。【選択図】図２
0003179888.tif 000002
【実用新案登録請求の範囲】
【請求項１】
カラフル入力装置において、キーモジュール、回路板、一つ或いはそれ以上の弾性体及び導光板を包含し、
該キーモジュールは、複数の穿孔を具えた底板が設けられ、並びに該底板上方に一つ或いはそれ以上のキートップが設けられ、並びに底板状にキートップと連帯し上下移動する連動装置が設けられ、
該回路板は該底板上方に設置され、さらに該回路板下方に一つ或いはそれ以上の、該底板の該穿孔に対向する発光ダイオードが設けられ、該一つ或いはそれ以上の発光ダイオードは線路板に電気的に接続され、各発光ダイオードの外部は、該底板の穿孔をとおり下方に延伸される導光カバーに被覆され、
該一つ或いはそれ以上の弾性体は該回路板の上方に設置され、
該導光板は該底板下方に設置され、且つ導光板の上方に一つ或いはそれ以上の、該導光カバーを挿入するための収容溝が設けられ、該発光ダイオードが発射する光線が該導光カバーをとおりさらに該導光板に照射され、該導光板がさらに均一に伝導した光線を上向きに該底板の各穿孔を通して各キートップに向けて照射することを特徴とする、カラフル入力装置。
【請求項２】
請求項１記載のカラフル入力装置において、該キーモジュールの底板は金属或いは硬質プラスチックで形成されていることを特徴とする、カラフル入力装置。
【請求項３】
請求項１記載のカラフル入力装置において、該キーモジュールの底板上に、複数の接続部が設けられ、且つ該キートップの下方の二側に枢接部が設けられ、該連動装置は鋏状の二つの交叉する連接棒を具え、各該連接棒の二側にそれぞれ該底板の複数の接続部と該キートップの複数の枢接部に枢接される軸部が設けられ、並びに該回路板上に、該底板の複数の接続部を通すための複数の貫通溝が設けられ、且つ該弾性体の底部に膜片が連設され、該膜片の該弾性体周囲に、該底板の複数の接続部を通すための複数の貫通溝が設けられたことを特徴とする、カラフル入力装置。
【請求項４】
請求項１記載のカラフル入力装置において、該弾性体底部に膜片が連設され、並びに該膜片上に複数の該キートップに対応する遮蔽部が設けられたことを特徴とする、カラフル入力装置。
【請求項５】
請求項１記載のカラフル入力装置において、該キートップはキーキャップ、金属薄板或いはその他の押圧に供されるキーとされることを特徴とする、カラフル入力装置。
【請求項６】
請求項１記載のカラフル入力装置において、該回路板は、薄膜回路板とされ、且つ該回路板に少なくとも一つのポリカーボネート、ポリエチレンテレフタレート、ポリメチルメタクリレート或いはその他の導光可能なフレキシブル材料で形成された基板が設けられ、且つ二つの基板の隣り合う面に回路レイアウトが設けられ、該線路板はフレキシブルプリント回路板とされることを特徴とする、カラフル入力装置。
【請求項７】
請求項１記載のカラフル入力装置において、該導光板の下方に反射板がさらに設けられることを特徴とする、カラフル入力装置。
【請求項８】
請求項１記載のカラフル入力装置において、該導光板の上方に保護層がさらに設けられることを特徴とする、カラフル入力装置。
【請求項９】
請求項１記載のカラフル入力装置において、該回路板の下方に設置される一つ或いはそれ以上の発光ダイオードは該底板の中央に位置することを特徴とする、カラフル入力装置。
【請求項１０】
請求項１記載のカラフル入力装置において、該回路板の下方に設置される一つ或いはそれ以上の発光ダイオードは該底板の側辺に位置することを特徴とする、カラフル入力装置。
【請求項１１】
請求項１記載のカラフル入力装置において、該導光カバー内に、発光ダイオードを収容する収容溝が形成され、該導光カバーの底部と側壁に出光端が設けられ、該導光カバーの上方に固定端が設けられることを特徴とする、カラフル入力装置。
【請求項１２】
請求項１１記載のカラフル入力装置において、該導光カバーの出光端の上面に、さらに、光線を反射して側方向に照射する一つ或いはそれ以上の反射面が設けられたことを特徴とする、カラフル入力装置。
【請求項１３】
請求項１１記載のカラフル入力装置において、該導光カバーの該導光板に対向しない外表面にさらに反射層が設けられたことを特徴とする、カラフル入力装置。
【考案の詳細な説明】
【技術分野】
【０００１】
本考案は一種のカラフル入力装置を提供し、特に、底板上の回路板下方に一つ或いはそれ以上の発光ダイオードが設けられ、各発光ダイオード外部を導光カバーが被覆し、該発光ダイオードは該底板上方に位置させられることで、ノートブック型コンピュータ内部の熱源より遠く離され、並びに導光カバーを利用して光源色を変更でき、これにより異なる色の光源を提供し、製品使用寿命を延長し輝度をアップするものに関する。
【背景技術】
【０００２】
現在、科学技術の進歩の時代にあって、電子製品は人々に便利な環境をもたらした。しかし、大多数の入力性電子製品は、いずれもキーにより文字、数字或いは命令の入力を行ない、たとえば、マウス、キーボード或いはゲームに適用されるジョイスティック、ライトガン等である。ただし、製品の日進月歩の進歩に伴い、キーも異なる要求に対応し改変する必要があり、たとえば、早期のデスクトップコンピュータのキーボードに使用されているキーからノートブック型コンピュータに使用されるキーへと変化し、その差異は相当に大きい。ノートブック型コンピュータは軽量、薄型、コンパクトであることを強調するため、その使用するキーはデスクトップコンピュータのキーボードのようにすることはできず、上述のノートブック型コンピュータの特性に符合するように変更されなければならない。
【０００３】
さらに、ノートブック型コンピュータのキーはもともと発光せず、人々は光線が暗いところでノートブック型コンピュータを使用する時に、正確に必要なキーを打つことができない。ある業者はこの問題に対して改良を行ない、キーを光線を発生できるようにして人々の使用に便利としている。図８、図９を参照されたい。その入力装置には、キーボード部Ａ、バックライト装置Ｂが設けられ、該キーボード部Ａは底板Ａ１の上方に回路板Ａ２が設けられ、並びに該回路板Ａ２の上方に、弾性素子Ａ３１を具えたプラスチック薄膜Ａ３が設けられている。底板Ａ１はまたリンク機構Ａ４を介して、上方のキートップＡ５に接続され、さらに、キーボード部Ａの底板Ａ１の下方に、バックライト装置Ｂの設けられ１が設けられる。導光板Ｂ１の側辺に側方向に発光する発光ダイオードＢ１１が設けられ、且つ導光板Ｂ１の下方には反射板Ｂ２が設けられる。
【０００４】
該バックライト装置Ｂの発光ダイオードＢ１１は側方向に向けて光線を導光板Ｂ１に向けて照射し、導光板Ｂ１を利用して均一に光線を伝導し、それと同時に、反射板Ｂ２を利用して導光板Ｂ１が下向きに発射する光線を反射し、導光板Ｂ１に均一に上向きに光線を発射させ、光線はキーボード部ＡをとおりキートップＡ５に至り、それを発光させる。
【０００５】
ただし、ノートブック型コンピュータＣ内部の多くの装置（たとえばプロセッサ或いはグラフィックカード等）は、いずれも動作時に高熱を発生し、発光ダイオードＢ１１は導光板Ｂ１の側辺に設置されているため、ノートブック型コンピュータＣ上の取付け空間Ｃ０中に、入力装置を取付ける必要がある時、取付け空間Ｃ０の基板Ｃ１上に線溝Ｃ１１を特別に凹設することにより、発光ダイオードＢ１１及びそれに電気的に接続される線路板を取り付けなければならず、そうすることで、入力装置が押圧される時に、発光ダイオードＢ１１を圧迫により損壊させないようにしている。
【０００６】
ただし、発光ダイオードは高熱を発生する装置の近くにあり、高熱の環境下にあるため、発光ダイオードＢ１１の使用寿命が下がり、且つ輝度も低下し、且つ基板Ｃ１上に線溝Ｃ１１を凹設する必要があるために、基板Ｃ１の厚さを増加させる必要があり（約０．３ｍｍ〜０．５ｍｍ）、市場の要求する軽量薄型化に向けて発展する状況にあって、この方式の設計は製品厚さを増加させてしまう。
【０００７】
一般に発光ダイオードＢ１１のほとんどは基板Ｃ１の中央或いは側辺に設置され、ノートブック型コンピュータの配置の関係から、その基板Ｃ１中央には支持力がなく、ゆえに、もし発光ダイオードＢ１１が中央に配置されると、使用者が入力装置中央を押圧すると、下に沈む感覚が発生し、使用者の使用習慣に影響が生じて押圧が完成したか否かを判定できなくなる問題が発生するのみならず、長時間の使用後には入力装置に変形を発生させることになる。
【０００８】
このほか、使用者の要求の変化及び市場競争の激化により、現在、業者は異なる技術、機能及び製品の研究開発を行ない、消費者の関心をひき、製品販売量を高めようとしており、ゆえに、異なる材質、外観形状、色或いは表面処理のノートブック型コンピュータが市場に出現しはじめている。しかし、入力装置中に取り付けられる発光ダイオードＢ１１は、僅かに白色光を発生させるためのものであり、ゆえにライティング効果上、比較的単調で、且つもし業者がノートブック型コンピュータに合わせてランプの色を変更させたければ、その他の色の発光ダイオードＢ１１を購入しなければならず、ストック上、十分に面倒であるのみならず、会社の在庫数量及びコストも増加し、且つ、発光ダイオードＢ１１の色の種類は比較的少なく（たとえば、青色光、緑色光、或いは赤色光等）、もし、顧客が必要とするのが特殊な色の光源である時は、顧客の要求に符合する入力装置を提供することができない。
【０００９】
ゆえに、いかに周知の発光キーボードの問題と欠点を解決するかが、この業界において極めて研究改善が求められる方向の所在である。
【考案の概要】
【考案が解決しようとする課題】
【００１０】
ゆえに、本考案者は上述の問題と欠点を鑑み、関係資料を収集し、多方面からの評価と考察を経て、並びにこの業界で累積した長年の経験を持って、不断の試作と改良を重ね、はじめてこのようなカラフル入力装置の創作を誕生させることができた。
【００１１】
本考案の主要な目的は、回路板をキーモジュールの底板上方に設置し、且つ回路板下方に一つ或いはそれ以上の発光ダイオードを設け、各発光ダイオード外部を導光カバーで被覆し、発光ダイオードの発射する光線を導光カバーを介して導光板に至らせ、均一に伝導させた後、光線をさらに各穿孔より上向きに各キー部に照射させ、回路板及び各発光ダイオードは底板上方に位置して熱源より遠く離れ、且つ発光ダイオードはまた、隣接する底板により放熱するため、発光ダイオードの存在する部分の環境の温度が下げられ、使用寿命が延長され及び輝度がアップし、これにより修理の発生機会を減らし、及び発光ダイオードの設置数量を減らし、製造コストを下げられるようにすることにある。
【００１２】
本考案の次の目的は、各該発光ダイオード外部を導光カバーで被覆することで、導光カバーの色の変更を利用して光線の色を変更できるようにし、これにより、異なる色の発光ダイオードを購入するコスト及び在庫量を減らし、且つどの種類の方向に光線を発射する発光ダイオードであっても、その光線は導光カバーに照射されるため、組立上、間違った方向或いは種類に取り付けることがなく、これにより、異なる色の光線を提供し、適用性をアップし、製造コストを下げ、組立の便利性をアップ及び製品歩留りをアップできるようにすることにある。
【００１３】
本考案のもう一つの目的は、該発光ダイオード及び回路板を底板上方に設置し、ゆえにノートブック型コンピュータの支持板に各発光ダイオード及び線路板を収容する線溝を凹設する必要をなくし、支持板の厚さを薄型化できるようにし、且つ、その全体厚さを一致して強度に影響を発生させず、すなわち、押圧時の下沈が触感に影響を与えたり長時間の使用で変形を発生したりするのを防止し、これにより製品の薄型化を達成し、製品寿命を延長し、良好な押圧触感を保持できるようにすることにある。
【課題を解決するための手段】
【００１４】
請求項１の考案は、カラフル入力装置において、キーモジュール、回路板、一つ或いはそれ以上の弾性体及び導光板を包含し、
該キーモジュールは、複数の穿孔を具えた底板が設けられ、並びに該底板上方に一つ或いはそれ以上のキートップが設けられ、並びに底板状にキートップと連帯し上下移動する連動装置が設けられ、
該回路板は該底板上方に設置され、さらに該回路板下方に一つ或いはそれ以上の、該底板の該穿孔に対向する発光ダイオードが設けられ、該一つ或いはそれ以上の発光ダイオードは線路板に電気的に接続され、各発光ダイオードの外部は、該底板の穿孔をとおり下方に延伸される導光カバーに被覆され、
該一つ或いはそれ以上の弾性体は該回路板の上方に設置され、
該導光板は該底板下方に設置され、且つ導光板の上方に一つ或いはそれ以上の、該導光カバーを挿入するための収容溝が設けられ、該発光ダイオードが発射する光線が該導光カバーをとおりさらに該導光板に照射され、該導光板がさらに均一に伝導した光線を上向きに該底板の各穿孔を通して各キートップに向けて照射することを特徴とする、カラフル入力装置としている。
請求項２の考案は、請求項１記載のカラフル入力装置において、該キーモジュールの底板は金属或いは硬質プラスチックで形成されていることを特徴とする、カラフル入力装置としている。
請求項３の考案は、請求項１記載のカラフル入力装置において、該キーモジュールの底板上に、複数の接続部が設けられ、且つ該キートップの下方の二側に枢接部が設けられ、該連動装置は鋏状の二つの交叉する連接棒を具え、各該連接棒の二側にそれぞれ該底板の複数の接続部と該キートップの複数の枢接部に枢接される軸部が設けられ、並びに該回路板上に、該底板の複数の接続部を通すための複数の貫通溝が設けられ、且つ該弾性体の底部に膜片が連設され、該膜片の該弾性体周囲に、該底板の複数の接続部を通すための複数の貫通溝が設けられたことを特徴とする、カラフル入力装置としている。
請求項４の考案は、請求項１記載のカラフル入力装置において、該弾性体底部に膜片が連設され、並びに該膜片上に複数の該キートップに対応する遮蔽部が設けられたことを特徴とする、カラフル入力装置としている。
請求項５の考案は、請求項１記載のカラフル入力装置において、該キートップはキーキャップ、金属薄板或いはその他の押圧に供されるキーとされることを特徴とする、カラフル入力装置としている。
請求項６の考案は、請求項１記載のカラフル入力装置において、該回路板は、薄膜回路板とされ、且つ該回路板に少なくとも一つのポリカーボネート、ポリエチレンテレフタレート、ポリメチルメタクリレート或いはその他の導光可能なフレキシブル材料で形成された基板が設けられ、且つ二つの基板の隣り合う面に回路レイアウトが設けられ、該線路板はフレキシブルプリント回路板とされることを特徴とする、カラフル入力装置としている。
請求項７の考案は、請求項１記載のカラフル入力装置において、該導光板の下方に反射板がさらに設けられることを特徴とする、カラフル入力装置としている。
請求項８の考案は、請求項１記載のカラフル入力装置において、該導光板の上方に保護層がさらに設けられることを特徴とする、カラフル入力装置としている。
請求項９の考案は、請求項１記載のカラフル入力装置において、該回路板の下方に設置される一つ或いはそれ以上の発光ダイオードは該底板の中央に位置することを特徴とする、カラフル入力装置としている。
請求項１０の考案は、請求項１記載のカラフル入力装置において、該回路板の下方に設置される一つ或いはそれ以上の発光ダイオードは該底板の側辺に位置することを特徴とする、カラフル入力装置としている。
請求項１１の考案は、請求項１記載のカラフル入力装置において、該導光カバー内に、発光ダイオードを収容する収容溝が形成され、該導光カバーの底部と側壁に出光端が設けられ、該導光カバーの上方に固定端が設けられることを特徴とする、カラフル入力装置としている。
請求項１２の考案は、請求項１１記載のカラフル入力装置において、該導光カバーの出光端の上面に、さらに、光線を反射して側方向に照射する一つ或いはそれ以上の反射面が設けられたことを特徴とする、カラフル入力装置としている。
請求項１３の考案は、請求項１１記載のカラフル入力装置において、該導光カバーの該導光板に対向しない外表面にさらに反射層が設けられたことを特徴とする、カラフル入力装置としている。
【考案の効果】
【００１５】
本考案のカラフル入力装置は、キーモジュール、回路板、一つ或いはそれ以上の弾性体及び導光板を包含し、該キーモジュールは複数の穿孔を具えた底板を具え、該底板上方にキートップとそれに連帯し上下移動する連動装置が設けられ、且つ該底板の上方の該回路板の下方に該底板の該穿孔にアラインする発光ダイオードが設けられ、各発光ダイオードの外部は導光カバーで被覆され、並びに該底板下方に該導光板が設置され、該発光ダイオードの光線が導光カバーに導光されて導光板に照射されて均一に伝導され、該導光板がさらに光線を各穿孔を通して上向きに各キートップへと照射し、該回路板及び各発光ダイオードが熱源より離れた底板上方に設置され、並びに該底板を利用して放熱することで、各発光ダイオードの環境の温度ダウンにより使用寿命延長、輝度アップを達成し、並びに導光マスクにより光源の色の変更により異なる色の光源の提供、適用性アップ及び製造コストダウンの目的を達成する。
【図面の簡単な説明】
【００１６】
【図１】本考案の好ましい実施例の立体分解図である。
【図２】本考案の好ましい実施例の側面断面図である。
【図３】本考案のもう一つの実施例の側面断面図である。
【図４】本考案の膜片の立体外観図である。
【図５】本考案のまた一つの実施例の立体分解図である。
【図６】本考案の底板と回路板の立体分解図である。
【図７】本考案のさらに一つの実施例の正面断面図である。
【図８】周知の技術の立体分解図である。
【図９】周知の技術の立体外観図である。
【考案を実施するための形態】
【００１７】
本考案の技術内容、構造特徴、達成する目的を詳細に説明するため、以下に実施例を挙げ並びに図面を組み合わせて説明する。
【００１８】
図１、２、３、４を参照されたい。それらは本考案の好ましい実施例の立体分解図、側面断面図、もう一つの実施例の側面断面図、膜片の立体外観図である。図から分かるように、本考案のカラフル入力装置は、キーモジュール１、回路板２、一つ或いはそれ以上の弾性体３及び導光板４で構成されている。
【００１９】
該キーモジュール１は、金属或いは硬質プラスチック材料で形成された底板１１が設けられ、且つ底板１１上に複数の接続部１１１及び複数の穿孔１１２が設けられ、並びに底板１１の上方に一つ或いはそれ以上のキートップ１２が設けられている。
【００２０】
該キートップ１２は、キーキャップ、金属薄板或いはその他の押圧に供されるキーとされ、且つキートップ１２の下方二側に枢接部１２１が設けられ、並びに底板１１上にキートップ１２と連帯して上下移動する連動装置１３が設けられている。連動装置１３は鋏状の二つの交叉連接棒１３０を具え、各連接棒１３０の二側には、それぞれ底板１１の複数の接続部１１１及びキートップ１２の複数の枢接部１２１に枢接される軸部１３１が設けられている。
【００２１】
該回路板２は底板１１上方に設置され、その回路板２は薄膜回路板（ｍｅｍｂｒａｎｅ  ｃｉｒｃｕｉｔ  ｂｏａｒｄ）とされ、且つ少なくとも一つのポリカーボネート（ＰＣ）、ポリエチレンテレフタレート（ＰＥＴ）或いはその他の導光性を有するフレキシブル材料で形成された基板２１とされ、且つ二つの基板２１の隣接面に、回路レイアウト２１１が設けられ、並びに回路板２上に底板１１の複数の接続部１１１を通過させる複数の貫通溝２２が設けられている。
【００２２】
さらに回路板２の下方に一つ或いはそれ以上の、底板１１の穿孔１１２にアラインする発光ダイオード２３が設けられ、この一つ或いはそれ以上の発光ダイオード２３は線路板２３１上に電気的に接続され、線路板２３１はフレキシブルプリント回路板（ＦＰＣ，Ｆｌｅｘｉｂｌｅ  Ｐｒｉｎｔｅｄ  Ｃｉｒｃｕｉｔｓ）とされる。
【００２３】
各発光ダイオード２３の外部には導光カバー２４が設けられ、該導光カバー２４内に、発光ダイオード２３を収容する収容溝２４０が設けられている。導光カバー２４の底部と側壁に出光端２４１が設けられ、導光カバー２４の上方に固定端２４２が設けられている。
【００２４】
該一つ或いはそれ以上の弾性体３は回路板２の上方に設置され、且つ弾性体３の底部には膜片３１が連設され、膜片３１の弾性体３の周囲に、底板１１の複数の接続部１１１を通すための複数の貫通溝３２が設けられ、並びに膜片３１に、複数のキートップ１２に対応する遮蔽部３３が設けられている。
【００２５】
該導光板４は底板１１下方に設置され、導光板４の上方に一つ或いはそれ以上の、各導光カバー２４の出光端２４１を進入させる収容溝４１が設けられる。
【００２６】
キーボードが使用される時、キーモジュール１のキートップ１２が押圧されると、キートップ１２は連動装置１３を押動し並びに下向きに移動し、且つキートップ１２は弾性体３を押して下に移動させて弾性変形を発生させ、フレキシブルな回路板２を押圧させる。回路板２の上方に設けられた接点は、キーモジュール１のキートップ１２が代表する信号を伝送でき、キーモジュール１のキートップ１２に対する押圧が停止すると、弾性体３は弾性回復し並びに連動装置１３を介してキートップ１２をもとの位置に回復させる。
【００２７】
且つ回路板２の下方の発光ダイオード２３が発光する時、その光線は、導光カバー２４に照射し、底板１１の穿孔１１２をとおり収容溝４１中に進入する導光カバー２４が光線を案内し並びに導光板４に照射させ、導光板４を介して光線を均一に伝導し、さらに各穿孔１１２より上向きに各キートップ１２に照射させ、これにより各キートップ１２に発光の効果を発生させる。
【００２８】
上述の連動装置１３は鋏式、回転軸式、滑り溝式、或いはその他の形式とされ得る。それは、キーモジュール１の底板１１及びキートップ１２を連接し、キートップ１２を底板１１上で上下移動可能とする機能を有すればよく、これにより本考案の権利請求範囲を限定するものではなく、その他の修飾及び同等の構造変化は、いずれも本考案の権利請求範囲内に属する。
【００２９】
さらに、該キーボードは回路板２の上方に膜片３１が設けられ、キーボード上に複数のキートップ１２が設けられる時、各キートップ１２の間には空隙が形成され、光源は、空隙部分より外部に向けて射出されてキートップ１２の発光輝度を下げる。ゆえに膜片３１の各弾性体３の間に反射或いは遮光の遮蔽部３３が設けられ、遮蔽部３３を利用して各キートップ１２の間の空隙を遮蔽し、回路板２が上向きに発射する光線に、集中してキートップ１２を通過させ、これにより、キートップ１２の発光時の輝度をアップする。
【００３０】
図１、２、３、６、７を参照されたい。それは本考案の好ましい実施例の立体分解図、側面断面図、もう一つの実施例の側面断面図、底板と回路板の立体分解図、及びさらにもう一つの実施例の正面断面図である。
【００３１】
これらの図から分かるように、該回路板２の下方に一つ或いはそれ以上の発光ダイオード２３が設置され、それは底板１１の上方に位置し、並びに下向きに光線を発射し、導光カバー２４の収容溝２４０により光線が受け取られた後に、出光端２４１へと導かれ、さらに光線が射出され、底板１１の穿孔１１２を通った後、光線は導光板４に照射され、導光板４が均一に光線を伝導した後、各穿孔１１２より上向きに各キートップ１２に向けて照射される。該一つ或いはそれ以上の発光ダイオード２３はまた、側方向発光形式とされ得る。
【００３２】
導光カバー２４は出光端２４１の上面にさらに一つ或いはそれ以上の反射面２４１１が設けられ得て、これにより光線が反射面２４１１に照射された後に反射されて側方向に導光板４へと照射されるようにするか、或いは導光カバー２４の導光板４に対向しない外表面にさらに反射層２４３を設けて、導光カバー２４内の光線がただ導光板４に向けて照射されるようにし、各発光ダイオード２３及び線路板２３１が底板１１側辺に位置する時、発光ダイオード２３の発射する光線は、導光カバー２４を介して導光板４中に入射し、導光板４により均一に伝導されてさらに各穿孔１１２より上向きに各キートップ１２へと照射される。
【００３３】
上述の構造は、僅かに光線を導光カバー２４を介して導光板４へと照射しその後さらに上向きに各キートップ１２に向けて照射する機能を有すればよく、これにより本考案の権利請求範囲を制限するものではなく、その他の修飾及び同等の構造変化はいずれも本考案の権利請求範囲に属するものとする。
【００３４】
さらに、導光カバー２４は、直接固定端２４２で線路板２３１に固定されるほか、導光カバー２４の固定端２４２は樹脂を利用して底板１１の穿孔１１２周縁（図示せず）に固定されてもよく、これにより底板１１の上方の液体は底板１１を通過できず、ノートブック型コンピュータ６内部のプロセッサ（ＣＰＵ）、グラフィックカード或いは電源供給装置等の装置に滴下して、短絡或いは錆の問題を発生することがなく、ゆえに、修理或いは故障の機会を減らすことができ、ひいては確実な防水の目的を達成できる。
【００３５】
上述のキーモジュール１のキートップ１２は、透明或いは半透明の材料で形成可能で、且つキートップ１２はキーキャップ、薄板或いはその他の形式とされ得る。キートップ１２の上表面局部にはワニス層が塗布され、ワニス層未塗布の部分は発光可能なパターン、文字を形成させられ、或いは、キートップ１２の上表面にワニス層が塗布された後、さらにレーザーエッチング方式で、発光可能なパターン、文字が形成され得て、それは使用者が押圧した後に、弾性体３を通して回路板２に対応する信号を発生させられ、及び内部光線を外部に照射できる機能があればよく、本考案の権利範囲を局限するものではなく、もしその他の修飾及び同等の構造変化を利用するなら、いずれも本考案の権利範囲内に属する。
【００３６】
図１、２、３、５を参照されたい。それは本考案の好ましい実施例の立体分解図、側面断面図、もう一つの実施例の側面断面図及びまた一つの実施例の立体外観図である。
【００３７】
これらの図から分かるように、該カラフル入力装置は、ノートブック型コンピュータ６の本体６１に設置され、且つ本体６１には収容溝６１０が凹設され、並びにカラフル入力装置は収容溝６１０底部の支持板６１１上に置かれ、支持される。
【００３８】
本体６１の支持板６１１下方にはプロセッサ（ＣＰＵ）、グラフィックカード及び電源供給装置等の、動作中に高熱を発生する装置が設置され、ゆえに、カラフル入力装置は上述の各装置の上方に設置され得る。発光ダイオード２３は高熱環境中で、寿命が短縮されるのみならず、その輝度もまた低減しうるため、回路板２及び発光ダイオード２３は底板１１上方に設置され、発光ダイオード２３と高熱を発生する装置の間の距離が増大し、これにより、発光ダイオード２３が熱源より引き離され、さらに、発光ダイオード２３に隣接する金属の底板１１により放熱されるため、発光ダイオード２３の使用寿命が延長され輝度がアップされ、これにより修理の発生する機会が減り、また、所定輝度の光線を発生するための発光ダイオード２３の設置数量を減少でき、これにより、修理及び生産コストを減らす目的を達成できる。
【００３９】
さらに、発光ダイオード２３及び線路板２３１は底板１１の上方に設置されるため、ノートブック型コンピュータ６の支持板６１１には各発光ダイオード２３及び線路板２３１を収容するための線溝を凹設する必要がなく、支持板６１１の厚さを薄化でき、且つ各発光ダイオード２３及び線路板２３１に対応する支持板６１１は、カラフル入力装置が使用者により押圧される時、全体厚さが一致し且つ線溝により厚さ及び強度が影響を受けないため、下に沈んで触感が影響を受けたり長時間使用して変形を発生したりする問題がなく、これにより製品の軽量薄型化を達成し、製品寿命を延長し、良好な押圧触感を保持する目的を達成できる。
【００４０】
このほか、導光板４の下方にはさらに反射板５を設置可能であり、導光板４中の光線が下向きに照射される時に、反射板５により光線を上向きに反射させることで、導光板４中で均一に伝導された光線に漏光の現象が発生して発光輝度が下がる欠点を防止でき、それにより、発光輝度をアップする目的を達成できる。
【００４１】
導光板４の上方にはさらに保護層４２を設けてもよい。導光板４が搬送、移動、ストック或いは組み立てられる時、もし表面に傷がつくと、その傷部分に漏光の問題が発生しうる。ゆえに、保護層４２により、導光板４の表面が傷つくのを防止し、これにより発光輝度と均一度をアップする目的を達成できる。
【００４２】
上述の本考案のカラフル入力装置は実際の使用時に、以下のような優れた点を有する。
（一）該回路板２はキーモジュール１の底板１１上方に設置され、且つ回路板２の下方に一つ或いはそれ以上の発光ダイオード２３が設けられ、各発光ダイオード２３の外部は導光カバー２４で被覆され、これにより発光ダイオード２３の発射する光線は導光カバー２４を介して導光板４へと照射されて導光板４により均一に伝導され、光線は各穿孔１１２をとおり上向きに各キートップ１２に向けて照射される。
回路板２及び各発光ダイオード２３は底板１１の上方に位置するため、ノートブック型コンピュータ６の本体６１の高熱を発生する装置との間の距離が増大し、さらに、発光ダイオード２３に隣接する底板１１による放熱により、発光ダイオード２３が熱源より離されてその使用寿命が延長され及びその輝度がアップし、これにより修理の発生機会が減り及び発光ダイオード２３の設置数量を減らせ製造コストを下げることができる。
（二）各該発光ダイオード２３の外部は導光カバー２４で被覆され、現在の発光ダイオード２３は製造上、多くの局限があり、ゆえに発光ダイオード２３の発射できる光線の色はそれほど多くの種類はない。ゆえに、構造が簡単で、価格が便宜で且つ容易に色を変更できる導光カバー２４の設置により、単純な白色光の発光ダイオード２３を購入して、顧客の要求により取り付ける導光カバー２４の色を変更すれば、異なる色の発光ダイオード２３を購入するコストと在庫量を減らすことができる。
（三）各発光ダイオード２３の外部は導光カバー２４により被覆され、発光ダイオード２３の発射する光線は、導光カバー２４に案内されてさらに導光板４へと射出される。発光ダイオード２３は下向き或いは側方向の照射の形式があり、且つ発光ダイオード２３はまた片面に光線を発生する。ゆえに、組立上、その方向を確認する必要があるが、導光カバー２４を取り付けた後は、どの方向の光線であっても、導光カバー２４により受け取られて案内されるため、間違った方向に取り付ける問題が発生しない。
（四）該発光ダイオード２３及び線路板２３１は底板１１の上方に設置され、ゆえに、ノートブック型コンピュータ６の支持板６１１には各発光ダイオード２３及び線路板２３１を収容するための線溝を凹設する必要がなく、これにより支持板６１１の厚さを薄化でき、且つその全体厚さを一致させられ、強度に影響がでず、すなわち、押圧下沈が触感に影響を与えたり長時間使用により変形を発生したりすることがない。
（五）該導光カバー２４の固定端２４２は樹脂を利用して底板１１の穿孔１１２周縁に固定でき、これにより、底板１１の上方の液体が底板１１を通過してノートブック型コンピュータ６内部のプロセッサ（ＣＰＵ）、グラフィックカード、或いは電源供給装置に滴下して短絡或いは錆等の問題を発生するのを防止でき、これにより修理或いは故障の機会を減らし、ひいては確実な防水の目的を達成する。
【００４３】
ゆえに、本考案はカラフル入力装置に対して、回路板２をキーモジュール１の底板１１上方に設置し、且つ回路板２下方に一つ或いはそれ以上の発光ダイオード２３を設置し、発光ダイオード２３とノートブック型コンピュータ６の本体６１中の高熱を発する装置の間の間隔距離を増大させ、並びに底板１１により放熱を行ない、こうして熱源より発光ダイオード２３を隔離して使用寿命を延長し輝度をアップし、修理の発生機会を減らし、製造コストを下げることを主要な保護の重点としている。
【００４４】
すなわち、各発光ダイオード２３の外部に導光カバー２４を設置し、導光カバー２４の色を変えることで、異なる色の光線を提供できるようにし、適用性を高め、製造コストを下げる長所を有する。
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００４５】
１  キーモジュール
１１  底板
１１１  接続部
１１２  穿孔
１２  キートップ
１２１  枢接部
１３  連動装置
１３０  連接棒
１３１  軸部
２  回路板
２１  基板
２１１  回路レイアウト
２２  貫通溝
２３  発光ダイオード
２３１  線路板
２４  導光カバー
２４０  収容溝
２４１  出光端
２４１１  反射面
２４２  固定端
２４３  反射層
３  弾性体
３１  膜片
３２  貫通溝
３３  遮蔽部
４  導光板
４１  収容溝
４２  保護層
５  反射板
６  ノートブック型コンピュータ
６１  本体
６１０  収容溝
６１１  支持板
Ａ  キーボード部
Ａ１  底板
Ａ２  回路板
Ａ３  プラスチック薄膜
Ａ３１  弾性素子
Ａ４  リンク機構
Ａ５  キー
Ｂ  バックライト装置
Ｂ１  導光板
Ｂ１１  発光ダイオード
Ｂ２  反射板
Ｃ  ノートブック型コンピュータ
Ｃ０  取付け空間
Ｃ１  基板
Ｃ１１  線溝
【図１】
0003179888.tif 000003
【図２】
0003179888.tif 000004
【図３】
0003179888.tif 000005
【図４】
0003179888.tif 000006
【図５】
0003179888.tif 000007
【図６】
0003179888.tif 000008
【図７】
0003179888.tif 000009
【図８】
0003179888.tif 000010
【図９】
0003179888.tif 000011